(57)【特許請求の範囲】
【請求項１】
かご室床と、
前記かご室床の上方に設けられたかご室天井と、
前記かご室床と前記かご室天井との間で前記かご室床の縁部に沿って並んで設けられた複数のかご室壁枠と、
前記かご室壁枠の各々の前記かご内側に設けられ、意匠面を前記かご内側へ向けた状態で、対応したかご室壁枠に形成された開口部を、前記かご内側から遮蔽した複数のかご室壁パネルと、
を備え、
隣接したかご室壁枠は、前記かご内側において、前記複数のかご室壁枠の並び方向に隙間を形成して配置され、
当該隣接したかご室壁枠に対応して隣接したかご室壁パネルは、前記かご内側から前記隙間に挿入され、前記かご内側から前記隙間を遮蔽した折り曲げ部を有したことを特徴とするエレベータのかご室。
【請求項２】
前記かご室壁枠は、前記かご内側から、ボルトにより、前記かご室床に固定されたことを特徴とする請求項１記載のエレベータのかご室。
【請求項３】
前記かご室壁枠は、前記開口部近傍のかご外側で、ボルトにより、前記かご室天井に固定されたことを特徴とする請求項１又は請求項２に記載のエレベータのかご室。
【請求項４】
前記かご室壁パネルの縁部は、ボルトにより、前記かご室壁枠に固定されたことを特徴とする請求項１〜請求項３のいずれかに記載のエレベータのかご室。
【請求項５】
前記かご室壁枠の前記かご内側と前記かご室壁パネルの前記かご外側とを着脱自在に固定する取付機構、
を備えたことを特徴とする請求項１〜請求項４のいずれかに記載のエレベータのかご室。
【発明の詳細な説明】
【技術分野】
【０００１】
この発明は、容易に組立、取替えを可能とするための簡易組立構造のかご室壁を有するエレベータのかご室に関するものである。
【背景技術】
【０００２】
まず、簡易組立構造のエレベータのかご室の一例を説明する。かかるかご室においては、かご室床の上方にかご室天井が設けられる。かご室床とかご室天井の間には、かご室壁が設けられる。かご室壁は、かご室床上に設けられた巾木に支持される。かご室天井は、上端保持部を介してかご室壁に載せられる。かご室壁は、かご室壁本体とかご室壁本体のかご室内部側に重ねられたかご室壁パネルとを有する。巾木には、かご室壁パネルの下縁部と係合する下部押さえ部材が取付ボルトにより着脱可能に取り付けられる。かご室壁パネルは、上端保持部及び下部押さえ部材との係合によりかご室壁本体に取り付けられる。かご室壁パネルは、かご室内部からの下部押さえ部材の巾木に対する着脱により、かご室壁本体に対して着脱される（例えば、特許文献１参照）。
【０００３】
【特許文献１】特開２００５−８２２５５号公報
【発明の開示】
【発明が解決しようとする課題】
【０００４】
しかし、特許文献１記載のものは、エレベータの新設時、簡易組立構造を有しないかご室と同様に、かご室壁本体をかご外から設置する必要がある。このため、作業性に問題があった。また、かご室壁パネルの周囲に必ず上部保持部及び下部押さえ部材を露出させる必要がある。このため、上部保持部及び下部押さえ部材に衣服等を引っ掛けるおそれや意匠面の制約があった。
【０００５】
この発明は、上述のような課題を解決するためになされたもので、その目的は、作業性が向上し、衣服等を引っ掛けるおそれや意匠面の制約のないかご室壁を有するエレベータのかご室を提供することである。
【課題を解決するための手段】
【０００６】
この発明に係るエレベータのかご室は、かご室床と、前記かご室床の上方に設けられたかご室天井と、前記かご室床と前記かご室天井との間で前記かご室床の縁部に沿って並んで設けられた複数のかご室壁枠と、前記かご室壁本体の各々の前記かご内側に設けられ、意匠面を前記かご内側へ向けた状態で、対応したかご室壁枠に形成された開口部を、前記かご内側から遮蔽した複数のかご室壁パネルとを備え、隣接したかご室壁枠は、前記かご内側において、前記複数のかご室壁枠の並び方向に隙間を形成して配置され、当該隣接したかご室壁枠に対応して隣接したかご室壁パネルは、前記かご内側から前記隙間に挿入され、前記かご内側から前記隙間を遮蔽した折り曲げ部を有したものである。
【発明の効果】
【０００７】
この発明によれば、作業性が向上し、衣服等を引っ掛けるおそれや意匠面の制約のないかご室壁を有するエレベータのかご室を提供することができる。
【発明を実施するための最良の形態】
【０００８】
この発明を実施するための最良の形態について添付の図面に従って説明する。なお、各図中、同一又は相当する部分には同一の符号を付しており、その重複説明は適宜に簡略化ないし省略する。
【０００９】
実施の形態１．
図１はこの発明の実施の形態１におけるエレベータのかご室をかごの出入口方向から見た正面図である。
【００１０】
図１において、１はかご室床である。このかご室床１上方には、かご室天井２が設けられる。このかご室天井２下面中央には、かご室照明３が設けられる。そして、かご室床１縁部には、巾木４が設けられる。この巾木４とかご室天井２との間には、複数のかご室壁５が設けられる。これらのかご室壁５は、かご室壁枠と、かご室壁パネル（図１においては、ともに図示せず）からなる。
【００１１】
図２〜図４は、かご室壁５のかご室壁枠６の構造を示したものである。
図２はこの発明の実施の形態１におけるエレベータのかご室に利用されるかご室壁枠の正面図である。図３はこの発明の実施の形態１におけるエレベータのかご室に利用されるかご室壁枠の側面図である。図４は図２のＣ−Ｃ線における断面図である。
【００１２】
かご室壁枠６は、上枠７、両側枠８、下枠９からなる。即ち、かご室壁枠６は、中央に、かご内外方向に貫通する開口部１０が形成される。ここで、上枠７、両側枠８、下枠９は、昇降路壁（図示せず）側に開口するコ字状の部材からなる。
【００１３】
上枠７の上部水平部下面には、複数の取付ナット（図２においては図示せず）が接着される。これらの取付ナットの上方には、上枠７の上部水平部を鉛直方向に貫通する貫通穴（図示せず）が設けられる。そして、図４に示すように、上枠７の下部水平部の中央部及び両側部には、鉛直方向に貫通する貫通穴７ａが設けられる。これらの貫通穴７ａは、横長に形成される。
【００１４】
両側枠８の外側鉛直部には、側部取付金８ａが設けられる。側部取付金８ａは、両側枠８の略全高に渡って設けられる。側部取付金８ａのかご外側は、側枠８のかご外側と略同一面上に配置される。一方、側部取付金８ａのかご内側は、側枠８のかご内側よりもかご外側に配置される。そして、側枠８の外側鉛直部と側部取付金８ａには、水平方向に貫通する複数の貫通穴８ｂが設けられる。これらの貫通穴８ｂは、鉛直方向に並んで設けられる。両側枠８のかご内側鉛直部には、複数の貫通穴８ｃが設けられる。これらの貫通穴８ｃは、鉛直方向に並んで設けられる。これらの貫通穴８ｃは、縦長に形成される。
【００１５】
下枠９の下部水平部上面には、複数の取付ナット（図２においては図示せず）が接着される。これらの取付ナットの下方には、下枠９の下部水平部を鉛直方向に貫通する貫通穴（図示せず）が設けられる。
【００１６】
図５〜図１０は、かご室壁５のかご室壁パネル１１の構造を示したものである。
図５はこの発明の実施の形態１におけるエレベータのかご室に利用されるかご室パネルの正面図である。図６は図５のＤ−Ｄ線における断面図である。図７は図５のＥ−Ｅ線における断面図である。図８は図６のＦ部拡大図であって、側部取付金を示す図である。図９は図８の側部取付金をＧ−Ｇ線の方向から見た図である。図１０は図８の側部取付金をＨ−Ｈ線の方向から見た図である。
【００１７】
かご室壁パネル１１の上縁部近傍のかご外側中央部及び両側部には、複数の上部取付金１１ａが設けられる。これらの上部取付金１１ａは、縦断面略Ｚ字状に形成される。これらの上部取付金１１ａの下部鉛直部は、かご室壁パネル１１のかご外側に接着される。そして、これらの上部取付金１１ａの上部鉛直部は、かご室壁パネル１１かご外側と隙間を形成して配置される。
【００１８】
かご室壁パネル１１の両側縁部近傍のかご外側には、複数の側部取付金１１ｂが設けられる。これらの側部取付金１１ｂは、横断面略Ｌ字状に形成される。即ち、側部取付金１１ｂは、かご内側鉛直部が、かご室壁パネル１１のかご外側に接着される。このかご内側鉛直部の外側端からかご外側鉛直部が形成される。このかご外側鉛直部のかご内側鉛直近傍には、切り欠き部１１ｃが設けられる。この切り欠き部１１ｃは、上方に開口する。
【００１９】
かご室壁パネル１１の両側部には、側部折り曲げ部１１ｄが形成される。この側部折り曲げ部１１ｄは、かご室壁パネル１１の両側部をかご外側へ折り曲げたものである。かご室壁パネル１１の下部には、下部折り曲げ部１１ｅが設けられる。この下部折り曲げ部１１ｅは、かご室壁パネル１１の下縁部をかご外側へ折り曲げたものである。そして、下部折り曲げ部１１ｅには、鉛直方向に貫通する複数の貫通穴（図示せず）が設けられる。また、かご室壁パネル１１のかご内側には、一般のものと同様に、意匠面１１ｆが形成される。
【００２０】
次に、図１１及び図１２を用いて、巾木４及びかご室壁５の設置状況をより詳細に説明する。
図１１は図１のＡ−Ａ線における断面図である。図１２は図１のＢ−Ｂ線における断面図である。
【００２１】
図１１に示すように、巾木４は、巾木固定部材４ａ、巾木意匠面４ｂからなる。巾木固定部材４ａは、下部開口部をかご外側に向けるとともに、上部開口部をかご内側に向ける。かかる巾木固定部材４ａは、ボルト１２ａ及び取付ナット１３ａにより、かご室床１に固定される。
【００２２】
巾木意匠面４ｂは、かご内側から巾木固定部材４ａに、容易に着脱自在に設けられる。より具体的には、巾木意匠面４ｂ裏面中央には、かご外側へ突出する取付部４ｃが設けられる。一方、巾木固定部材４ａには、かご内側に開口した挟み込み部が設けられる。この挟み込み部は、弾性変形可能な板ばねからなる。そして、巾木意匠面４ｂの取付部が、巾木固定部材４ａの挟み込み部にかご内側から着脱自在に固定される。
【００２３】
この巾木固定部材４ａの上部水平部上面には、複数のかご室壁枠６が設けられる。これらのかご室壁枠６のかご内側には、かご室壁パネル１１が設けられる。このかご室壁パネル１１は、意匠面１１ｆをかご内側へ向ける。そして、かご室壁パネル１１は、かご室壁枠６の開口部１０を、かご内側から遮蔽している。
【００２４】
より具体的には、かご室壁パネル１１の上部取付金１１ａの上部鉛直部が、下方からかご室壁枠６の上枠７の貫通穴７ａを貫通し、係合する。また、かご室壁パネル１１の側部取付金１１ｂが、かご内側から側枠８の貫通穴８ｃを貫通する。そして、側部取付金の切り欠き部が、貫通穴８ｃ近傍の側枠８に係合する。
【００２５】
さらに、かご室壁パネル１１の下部折り曲げ部１１ｅが巾木固定部材４ａの上部水平部の下方に配置される。そして、ボルト１２ｂが、かご室壁パネル１１の下部折り曲げ部１１ｅ及び下枠９の下部水平部の貫通穴の下方から取付ナット１３ｂにねじ込まれる。かかるねじ込みにより、かご室壁パネル１１の下部取付部、巾木固定部材４ａの上部水平部、下枠９が固定される。そして、かご室壁枠６の上枠７上面には、かご室天井２縁部が載置される。また、ボルト１２ｃが、開口部１０近傍かご外側で、上枠７の上部水平部の貫通穴上方から取付ナット１３ｃにねじ込まれる。かかるねじ込みにより、上枠７とかご室天井２が固定される。
【００２６】
なお、図１２に示すように、隣接するかご室壁枠６は、側枠８の側部取付金８ａ同士を当接させる。そして、ボルト１２が、貫通穴８ｂの側方から取付ナット１３ｄにねじ込まれる。かかるねじ込みにより、両側枠８が、連結される。このとき、両側枠８間のかご内側には、隙間１４が形成される。そして、かご室壁パネル１１の側部折り曲げ部１１ｄが、かご内側から隙間１４に挿入される。
【００２７】
次に、かご室の組立手順の概略を説明する。
まず、複数のかご室壁枠６の下枠９が、かご内側から、ボルト１２ｂにより、巾木固定部材４ａに固定される。そして、隣接するかご室壁枠６の側枠８同士が連結される。その後、かご室天井２が、かご室壁枠６の上枠７に固定される。そして、巾木固定部材４ａとかご室壁枠６とを固定したボルト１２ｂが一旦取り外される。そして、かご室壁パネル１１がかご内側からかご室壁枠６に固定される。
【００２８】
より具体的には、側枠８の貫通穴８ｃに、側部取付金１１ｂが差し込まれる。そして、かご室壁パネル１１全体が上方に移動される。かかる移動により、側部取付金１１ｂの切り欠き部１１ｃが貫通穴８ｃ上縁部に係合する。即ち、貫通穴８ｃと側部取付金１１ｂは、かご室壁枠６のかご内側とかご室壁パネル１１のかご外側とを着脱自在に固定する取付機構として機能する。そして、これと同時に、上枠７の貫通穴７ａに、上部取付金１１ａが差し込まれる。これにより、上部取付金１１ａが、貫通穴７ａ縁部に係合する。即ち、貫通穴７ａと上部取付金１１ａも、上記取付機構の一部として機能する。
【００２９】
そして、再度、ボルト１２ｂが、かご室壁パネル１１の下部折り曲げ部１１ｅの下方からねじ込まれる。その後、巾木意匠面４ｂが、巾木固定部材４ａに固定される。これにより、かご室の組立が完了する。
【００３０】
以上で説明した請求項１によれば、かご室壁パネル１１が、意匠面をかご内側に向けた状態で、かご室壁枠６に形成された開口部１０を、かご内側から遮蔽する。このため、かご室壁枠６の設置が容易となり、作業性が向上する。また、かご室壁枠６は、かご内側から、ボルト１２ｂにより、巾木４を介して、かご室床１に固定される。このため、かご室壁５が強固に設置される。さらに、かご室壁枠６は、開口部１０近傍のかご外側で、ボルト１２ｃにより、かご室天井２に固定される。このため、かご内からの作業で、かご室天井２も強固に固定される。
【００３１】
また、かご室壁パネル１１の下部折り曲げ部１１ｅは、ボルト１２ｂにより、かご室壁枠６に固定される。このため、かご室壁パネル１１も強固に固定される。さらに、取付機構により、かご室壁枠６のかご内側とかご室壁パネル１１のかご外側とが着脱自在に固定される。このため、かご室壁パネル１１の意匠面１１ｆよりもかご内側に配置される部材を不要とすることができ、衣類等を引っ掛けるおそれや意匠面１１ｆの制約がない。
【００３２】
実施の形態２．
図１３はこの発明の実施の形態２におけるエレベータのかご室の横断面図である。図１４はこの発明の実施の形態２におけるエレベータのかご室の縦断面図である。図１５はこの発明の実施の形態２におけるエレベータのかご室に利用されるかご室壁枠の正面図である。図１６はこの発明の実施の形態２におけるエレベータのかご室に利用されるかご室壁枠の側面図である。図１７はこの発明の実施の形態２におけるエレベータのかご室に利用されるかご室壁パネルの正面図である。図１８はこの発明の実施の形態２におけるエレベータのかご室に利用されるかご室壁パネルの側面図である。なお、実施の形態１と同一又は相当部分には同一符号を付して説明を省略する。
【００３３】
実施の形態１のかご室壁枠６においては、側枠８のかご内側鉛直部に貫通穴８ｃが設けられていた。一方、実施の形態２のかご室壁枠６においては、側枠８の外側鉛直部に側部取付片１５が設けられている。また、実施の形態１のかご室壁パネル１１においては、側部取付金１１ｂが設けられていた。一方、実施の形態２のかご室壁パネル１１においては、側縁部に、側部切り欠き部１６が設けられている。
【００３４】
かかる構成の実施の形態２におけるかご室壁５の組立においては、かご内側から、かご室壁パネル１１の側部切り欠き部１６を、かご室壁枠６の側部取付片１５に係合させることに特徴を有する。その他においては、実施の形態１と略同様である。
【００３５】
以上で説明した実施の形態２によれば、かご室壁パネル１１をかご外側へ水平方向に移動するのみで、かご室壁枠６に係合するため、より作業性が向上する。
【図面の簡単な説明】
【００３６】
【図１】この発明の実施の形態１におけるエレベータのかご室をかごの出入口方向から見た正面図である。
【図２】この発明の実施の形態１におけるエレベータのかご室に利用されるかご室壁枠の正面図である。
【図３】この発明の実施の形態１におけるエレベータのかご室に利用されるかご室壁枠の側面図である。
【図４】図２のＣ−Ｃ線における断面図である。
【図５】この発明の実施の形態１におけるエレベータのかご室に利用されるかご室壁パネルの正面図である。
【図６】図５のＤ−Ｄ線における断面図である。
【図７】図５のＥ−Ｅ線における断面図である。
【図８】図６のＦ部拡大図であって、側部取付金を示す図である。
【図９】図８の側部取付金をＧ−Ｇ線の方向から見た図である。
【図１０】図８の側部取付金をＨ−Ｈ線の方向から見た図である。
【図１１】図１のＡ−Ａ線における断面図である。
【図１２】図１のＢ−Ｂ線における断面図である。
【図１３】この発明の実施の形態２におけるエレベータのかご室の横断面図である。
【図１４】この発明の実施の形態２におけるエレベータのかご室の縦断面図である。
【図１５】この発明の実施の形態２におけるエレベータのかご室に利用されるかご室壁枠の正面図である。
【図１６】この発明の実施の形態２におけるエレベータのかご室に利用されるかご室壁枠の側面図である。
【図１７】この発明の実施の形態２におけるエレベータのかご室に利用されるかご室壁パネルの正面図である。
【図１８】この発明の実施の形態２におけるエレベータのかご室に利用されるかご室壁パネルの側面図である。
【符号の説明】
【００３７】
１  かご室床、  ２  かご室天井、  ３  かご室照明、  ４  巾木、
４ａ  巾木固定部材、  ４ｂ  巾木意匠面、  ５  かご室壁、  ６  かご室壁枠、
７  上枠、  ７ａ  貫通穴、  ８  側枠、  ８ａ  側部取付金、
８ｂ、８ｃ  貫通穴、  ９  下枠、  １０  開口部、１１  かご室壁パネル、
１１ａ  上部取付金、  １１ｂ  側部取付金、  １１ｃ  切り欠き部、
１１ｄ  側部折り曲げ部、  １１ｅ  下部折り曲げ部、  １１ｆ  意匠面、
１２ａ〜１２ｄ  ボルト、  １３ａ〜１３ｄ  取付ナット、  １４  隙間、
１５  側部取付片、  １６  側部切り欠き部
【図１】
0005088203.tif 000002
【図２】
0005088203.tif 000003
【図３】
0005088203.tif 000004
【図４】
0005088203.tif 000005
【図５】
0005088203.tif 000006
【図６】
0005088203.tif 000007
【図７】
0005088203.tif 000008
【図８】
0005088203.tif 000009
【図９】
0005088203.tif 000010
【図１０】
0005088203.tif 000011
【図１１】
0005088203.tif 000012
【図１２】
0005088203.tif 000013
【図１３】
0005088203.tif 000014
【図１４】
0005088203.tif 000015
【図１５】
0005088203.tif 000016
【図１６】
0005088203.tif 000017
【図１７】
0005088203.tif 000018
【図１８】
0005088203.tif 000019